(57)【要約】【課題】シール部材と保持部材が別々に形成され、案内レールの上面にレールカバーが配置されている場合と配置されていない場合でシール部材を交換せずに使用できる直動案内装置のサイドシールを提供する。【解決手段】シール部材１は、案内レールの上面１０１に接触させるリップ部１１ａを有する上側シール部１１と、案内レールの各側面に接触させるリップ部を有する各側方シール部とからなる。上側シール１１と側方シール部は別々に形成され、上側シール１１が側方シール部に対して上下方向に移動可能に結合されている。上側シール１１は保持部材２側に突出する凸部１１ｂを有する。保持部材２は、上板部２ａの上側シール１１が配置される側の面に、凸部部１１ｂが嵌まる溝を上下複数位置に有する。凸部１１ｂが嵌まる溝２２，２３の位置によって、リップ部１１ａの上下方向での位置が変化する。【選択図】図１
2016183742.tif 000002
【特許請求の範囲】
【請求項１】
シール部材と前記シール部材を保持する保持部材とを有し、前記シール部材と前記保持部材は別々に形成され、直動案内装置を構成するスライダの移動方向端部に固定して使用され、
前記シール部材は、前記直動案内装置を構成する案内レールの上面に接触させるリップ部を有する上側シール部と、案内レールの各側面に接触させるリップ部を有する各側方シール部とからなり、
前記上側シール部と前記側方シール部は別々に形成され、前記上側シール部が前記側方シール部に対して上下方向に移動可能に結合され、
前記上側シール部および前記側方シール部は、それぞれ前記リップ部の反対側に、前記保持部材に保持される被保持部を有し、前記上側シール部の前記被保持部は、前記保持部材側に突出する凸部であり、
前記保持部材は、前記案内レールの上面および両側面と隙間を開けて対向する上板部および両側板部からなり、前記上板部の前記上側シール部が配置される側の面に、前記凸部が嵌まる溝を上下複数位置に有し、前記側板部の前記側方シール部が配置される側に前記被保持部を保持する保持部を有し、
前記シール部材は、前記凸部が嵌まる前記溝の位置によって前記リップ部の上下方向での位置が変化する直動案内装置のサイドシール。 
【請求項２】
請求項１記載のサイドシールが、スライダの移動方向端部に固定されている直動案内装置。
【発明の詳細な説明】
【技術分野】
【０００１】
この発明は、シール部材とこれを保持する部材が別々に形成され、直動案内装置を構成するスライダの移動方向端部に固定して使用されるサイドシールに関する。
【背景技術】
【０００２】
直動案内装置の従来例を図７に示す。この直動案内装置は、案内レール１００とスライダ（「ベアリング」とも称される）２００と複数個のころ（転動体）３００とを備えている。案内レール１００およびスライダ２００は、互いに対向配置されてころ３００の転動通路を形成する転動面１１０，２１０を有する。
スライダ２００は、案内レール１００の長さ方向で、スライダ本体２０１と、その両端に固定されたエンドキャップ２０２と、さらにその両端に固定されたサイドシール２０３とに分けられる。転動面２１０はスライダ本体２０１に形成されている。スライダ２００の直動方向両端に配置されたサイドシール２０３は、スライダ２００と案内レール１００の上面および両側面との間をリップ部により密封する。
【０００３】
スライダ２００は、また、ころ３００の戻し通路２２１と、この戻し通路２２１と前記転動通路とを連通させる方向転換路２２２を有する。戻し通路２２１はスライダ本体２０１に、方向転換路２２２はエンドキャップ２０２に形成されている。スライダ２００の上面には、テーブル等をねじ止めで取り付けるための雌ねじ２０５が形成されている。
サイドシール２０３およびエンドキャップ２０２にグリースニップル４００の取り付け穴が形成されている。グリースニップル４００からエンドキャップ２０２の油路に潤滑剤が導入されて、直動案内装置の潤滑が行われる。サイドシール２０３およびエンドキャップ２０２はボルト５００でスライダ本体２０１に固定されている。案内レール１００には、基台等の被取付部に案内レール１００をボルトで取り付けるための取り付け穴１２０が形成されている。
【０００４】
この直動案内装置は、前記転動通路、戻し通路、および方向転換路で転動体の循環経路が構成され、循環経路内を循環するころ３００を介して、案内レール１００およびスライダ２００の一方が他方に対して相対的に直線運動する。
このような直動案内装置のサイドシールの従来例としては、金属製の保持板にゴム製のシール部材の基部が固定され、シール部材のリップ部を案内レールの上面および両側面に接触させて使用するものが挙げられる。また、サイドシールを、別々に形成されたシール部材、シール部材を保持する保持部材、およびカバー（スクレーパ）で構成することも提案されている。
【０００５】
特許文献１には、サイドシールの保持部材（ケース部）とリップ部（シールリップ）を有するシール部材（シール部）とを別部材で構成し、シール部材の保持部材と反対側に、案内レールの外面と隙間を空けて対向配置されるスクレーパー部を設けることが記載されている。保持部材とシール部は凹凸の嵌め合いで係合されている。このサイドシールによれば、先ずスクレーパー部で比較的大きな異物が排除されることで、シールリップの長寿命化および作動性向上が図られる。
【０００６】
特許文献２には、シール部材と保持板（保持部材）とカバーとからなるサイドシールにおいて、シール部材の防塵性および耐摩耗性の低下と保持板からの脱落を防止することを目的にして、保持板にシール部材の位置合せ部を設けるとともに、保持板の凹部とシール部材との間に隙間を設けることが記載されている。
【先行技術文献】
【特許文献】
【０００７】
【特許文献１】特開２００７−２１１９００号公報
【特許文献２】特許５３１６７００号公報
【発明の概要】
【発明が解決しようとする課題】
【０００８】
従来より、直動案内装置は、案内レールの上面にレールカバーを配置して使用される場合と、レールカバーを配置しないで使用する場合がある。レールカバーが配置されるとレールカバーの厚さの分だけ案内レールの上面が高い位置になる。よって、どちらの場合でも案内レールの上面に対するリップ部の締め代を同じにするためには、異なるサイドシールを使用する必要がある。
【０００９】
つまり、保持板にシール部材の基部が固定されたサイドシールの場合は、二個のサイドシールを用意する必要がある。また、シール部材とこれを保持する保持部材が別々に形成されているサイドシールの場合は、シール部材を二種類用意する必要がある。
この発明の課題は、シール部材とこれを保持する保持部材とが別々に形成されているサイドシールとして、案内レールの上面にレールカバーが配置されている場合とレールカバーが配置されていない場合でシール部材を交換せずに使用できるものを提供することである。
【課題を解決するための手段】
【００１０】
上記課題を解決するために、この発明の一態様の直動案内装置のサイドシールは、下記の構成(1) 〜(4) を有する。
(1) シール部材と前記シール部材を保持する保持部材とを有する。前記シール部材と前記保持部材は別々に形成され、直動案内装置を構成するスライダの移動方向端部に固定して使用される。
【００１１】
(2) 前記シール部材は、前記直動案内装置を構成する案内レールの上面に接触させるリップ部を有する上側シール部と、案内レールの各側面に接触させるリップ部を有する各側方シール部とからなる。前記上側シール部と前記側方シール部は別々に形成され、前記上側シールが前記側方シール部に対して上下方向に移動可能に結合されている。前記上側シール部および前記側方シール部は、それぞれ前記リップ部の反対側に、前記保持部材に保持される被保持部を有する。前記上側シール部の前記被保持部は、前記保持部材側に突出する凸部である。
【００１２】
(3) 前記保持部材は、前記案内レールの上面および両側面と隙間を開けて対向する上板部および両側板部からなる。前記上板部の前記上側シール部が配置される側の面に、前記凸部が嵌まる溝を上下複数位置に有する。前記側板部の前記側方シール部が配置される側に前記被保持部を保持する保持部を有する。
(4) 前記シール部材は、前記凸部が嵌まる前記溝の位置によって前記リップ部の上下方向での位置が変化する。 
この態様のサイドシールは、前記シール部材を一つだけ用い、前記シール部材の前記凸部を嵌める前記溝の位置を変化させて組み立てることにより、前記リップ部の上下方向での位置を変化させて使用することができる。
【発明の効果】
【００１３】
この発明のサイドシールは、直動案内装置のサイドシールであって、シール部材とこれを保持する保持部材とが別々に形成されているが、案内レールの上面にレールカバーが配置されている場合とレールカバーが配置されていない場合でシール部材を交換せずに使用することができる。
【図面の簡単な説明】
【００１４】
【図１】実施形態のサイドシールを直動案内装置に取り付けた状態の案内レールの上側部分を示す断面図であって、案内レールにレールカバーが配置されていない状態（ａ）とレールカバーが配置されている状態（ｂ）を示す。
【図２】実施形態のサイドシールを直動案内装置に取り付けた状態の案内レールの側方部分を示す断面図である。
【図３】実施形態のサイドシールを構成するシール部材の正面図であって、Ａ−Ａ断面が図１に対応し、Ｂ−Ｂ断面が図２に対応する。
【図４】図３のシール部材の上側シール部と側方シール部との結合部を示す平面図である。
【図５】実施形態のサイドシールを構成する保持部材を示す図であって、（ａ）は保持部材の正面図で、Ａ−Ａ断面が図１に対応し、Ｂ−Ｂ断面が図２に対応し、（ｂ）は保持部材の部分拡大正面図である。
【図６】保持部材に形成されている上下の溝の形状が異なる例を説明する図である。
【図７】直動案内装置の従来例を示す一部破断斜視図である。
【発明を実施するための形態】
【００１５】
以下、この発明の実施形態について説明するが、この発明はこの実施形態に限定されない。
この実施形態のサイドシール４は、前述の図７に示す直動案内装置のサイドシール２０３に代えて使用できるものであって、図１および２に示すように、シール部材１と保持部材２とからなる。保持部材２のスライダ２００側に配置される面にシール部材１が保持される。
【００１６】
シール部材１は、図３に示す正面から見た配置で、案内レール１００の上側に配置される上側シール部１１と、案内レール１００の左右各側に配置される側方シール部１２とに分けられる。上側シール部１１と側方シール部１２は別々に形成されている。
上側シール部１１は、案内レール１００の上面１０１に接触させるリップ部１１ａを有する。側方シール部１２は、案内レール１００の左右各側面１０２に接触させるリップ部１２ａを有する。上側シール部１１および側方シール部１２は、それぞれリップ部１１ａ，１２ａの反対側に、保持部材２に保持される被保持部として、保持部材２側に突出する凸部１１ｂ，１２ｂを有する。リップ部１１ａ，１２ａと凸部１１ｂ，１２ｂとの間の部分を中間部１１ｃ，１２ｃとする。
【００１７】
図４に示すように、上側シール部１１と側方シール部１２との境界面１３が、凹凸の嵌め合いで結合され、上側シール部１１が側方シール部１２に対して上下方向に移動可能になっている。この例では、上側シール部１１の境界面１３をなす端面に凹部１１ｄが形成され、側方シール部１２の境界面１３をなす端面に凸部１２ｄが形成されている。
保持部材２は、図１、図２、図５に示すように、スライダ２００を構成するエンドキャップ２０２とほぼ同じ面形状を有し、案内レール１００の上側に配置される上板部２ａと、案内レール１００の左右各側に配置される側板部２ｂとからなる。上板部２ａには、ボルト５００（図７）を通す貫通穴５２とグリースニップル４００（図７）を取り付ける貫通穴４２が形成されている。側板部２ｂには、ボルト５００を通す貫通穴５２が形成されている。保持部材２の内側（案内レール側）に、シール部材１の凸部１１ｂ，１２ｂを保持するシール保持部２０が形成されている。
【００１８】
シール保持部２０は、図１、図２、図５に示すように、シール部材１の中間部１１ｃ，１２ｃが配置される凹部２１と、シール部材１の上側シール部１１の凸部１１ｂが嵌まる第一の溝２２と、上側シール部１１の凸部１１ｂが嵌まる第二の溝２３と、側方シール部１２の凸部１２ｂが嵌まる第三の溝２４からなる。
つまり、シール保持部２０は、上板部２ａの上側シール１１が配置される側の面に、上側シール１１の凸部１１ｂが嵌まる溝を上下二カ所に有し（第一および第二の溝２２，２３）、側板部２ｂの側方シール部１２が配置される側の面に、側方シール部１２の凸部１２ｂが嵌まる第三の溝（保持部）２４を有する。側板部２ｂに形成された第三の溝２４は、上板部２ａに形成された第一の溝２２と連続している。
【００１９】
シール部材１は、ゴムまたは熱可塑性エラストマー製である。使用するゴムとしては、ニトリルゴム、水素化ニトリルゴム、アクリルゴム、シリコーンゴム、フッ素ゴムが例示できる。熱可塑性エラストマーとしては、ポリエステル系エラストマー、ウレタン系エラストマーが例示できる。保持部材２は、ＰＯＭ（ポリオキシメチレン）、６，６ナイロン等の合成樹脂製である。
【００２０】
この実施形態のサイドシール４は、図１および図２に示すように、直動案内装置のスライダ２００に取り付けて使用される。
案内レール１００の上面１０１にレールカバー５を配置しないで直動案内装置を使用する場合には、図１（ａ）および図２に示すように、シール部材１を図３に示す状態のまま保持部材２に保持させてサイドシール４を組み立てて、スライダ２００に固定する。
【００２１】
具体的には、先ず、シール部材１の中間部１１ｃを保持部材２の凹部２１に配置し、上側シール部１１の凸部１１ｂを保持部材２の上板部２ａの第一の溝２２に嵌め入れ、側方シール部１２の凸部１２ｂを、保持部材２の側板部２ｂの第三の溝２４に嵌め入れることで、サイドシール４を組み立てる。次に、サイドシール４を、スライダ２００の移動方向端部に配置されたエンドキャップ２０２の外側に配置し、保持部材２の貫通穴５２を挿通させたボルトでエンドキャップ２０２を介してスライダ本体２０１に固定する。
【００２２】
これにより、図１（ａ）に示すように、上側シール部１１のリップ部１１ａは案内レール１００の上面１０１に接触する。また、側方シール部１２のリップ部１２ａは、図２に示すように、案内レール１００の側面１０２および転動面１１０に接触する。
案内レール１００の上面１０１にレールカバー５を配置して直動案内装置を使用する場合には、先ず、シール部材１を、図３に示す状態から、上側シール部１１の凹部１１ｄと側方シール部１２の凸部１２ｄとで嵌め合う境界面１３をずらして、上側シール部１１を側方シール部１２に対して上側にレールカバー５の厚さ分だけ移動する。
【００２３】
次に、この状態で、シール部材１の中間部１１ｃを保持部材２の凹部２１に配置し、上側シール部１１の凸部１１ｂを保持部材２の上板部２ａの第二の溝２３に嵌め入れ、側方シール部１２の凸部１２ｂを、保持部材２の側板部２ｂの第三の溝２４に嵌め入れることで、サイドシール４を組み立てる。
次に、サイドシール４を、スライダ２００の移動方向端部に配置されたエンドキャップ２０２の外側に配置し、保持部材２の貫通穴５２を挿通させたボルトでエンドキャップ２０２を介してスライダ本体２０１に固定する。
【００２４】
これにより、図１（ｂ）に示すように、上側シール部１１のリップ部１１ａはレールカバー５の上に接触する。また、側方シール部１２のリップ部１２ａは、レールカバー５が配置されていない場合と同様、図２に示すように、案内レール１００の側面１０２および転動面１１０に接触する。
上述のように、この実施形態のサイドシール４は、シール部材１を一つだけ用い、シール部材１のスライダ移動方向での位置を変化させて組み立てることにより、リップ部１１の上下方向での位置を変化させて使用することができる。そのため、案内レール１００の上面１０１にレールカバー５が配置されている場合とレールカバー５が配置されていない場合で、シール部材１を交換せずに使用することができる。
【００２５】
なお、上述の実施形態では、側方シール部１２の被保持部を、上側シール部１１の凸部１１ｂに連続する凸部１２ｂとしているが、上側シール部１１の凸部１１ｂと連続しない位置に設けて、これに対応する保持部を保持部材に設けてもよい。
また、上述の実施形態では、保持部材２の第一の溝２２と第二の溝２３を同じ寸法で形成しているが、保持部材２の上板部２ａの第一の溝２２と第二の溝２３を異なる寸法で形成してもよい。その例を図６に示す。図６の保持部材２Ａでは、上側の第二の溝２３の上下方向の寸法をシール部材１の上側シール部１１の凸部１１ｂの厚さより大きくし、奥行き方向の寸法を凸部１１ｂの突出長さより大きくしている。第二の溝２３は、上側シール部１１の凸部１１ｂがぴったり嵌まる寸法にしている。
【００２６】
具体的に、図６の保持部材２Ａでは、第二の溝２３の上面２３ａは図１の場合と同じ位置で、下面２３ｂを図１の場合より少し下げている。よって、案内レールの上面にレールカバーが配置されている直動案内装置で使用される場合には、図６（ａ）に示すように、上側シール部１１の凸部１１ｂが第二の溝２３の上面２３ａに接触し、凸部１１ｂと下面２３ｂとの間に隙間が生じる。また、案内レールの上面にレールカバーが配置されていない直動案内装置で使用される場合には、図６（ｂ）に示すように、上側シール部１１の凸部１１ｂが第一の溝２２に嵌まった状態となる。
【００２７】
工作機械などにおいては、直動案内装置を、上面にレールカバーが配置された案内レールとレールカバーが配置されていない案内レールを接続し、これらの案内レールに渡ってスライダを往復移動させて使用する場合がある。この場合に、図６に示す保持部材２Ａを用いると、以下に示すように作動することが期待できる。
上側シール部１１のリップ部がレールカバーから案内レールに移る際に、リップ部のレールカバーに対する摩擦力によって上側シール部１１が下方に引っ張られ、上側シール部１１の凸部１１ｂが弾性変形により第二の溝２３から外れ、第一の溝２２内に入る。また、上側シール部１１のリップ部が案内レールからレールカバーに移る際に、リップ部１１ａのレールカバーに対する摩擦力によって上側シール部１１が上側に押し上げられ、上側シール部１１の凸部１１ｂが弾性変形により第一の溝２２から外れ、第二の溝２３内に入る。
【符号の説明】
【００２８】
１  シール部材
１１  上側シール部
１１ａ  案内レールの上面に接触させるリップ部
１１ｂ  上側シール部の凸部（被保持部）
１１ｃ  上側シール部の中間部
１１ｄ  上側シール部の側方シール部との境界面に形成された凹部
１２  側方シール部
１２ａ  案内レールの側面に接触させるリップ部
１２ｂ  側方シール部の凸部（被保持部）
１２ｃ  側方シール部の中間部
１２ｄ  側方シール部の上側シール部との境界面に形成された凸部
１３  シール部材の境界面
２  保持部材
２ａ  保持部材の上側部
２ｂ  保持部材の側方部
２０  シール保持部
２０Ａ  シール保持部
２１  中間部が配置される凹部
２２  第一の溝
２３  第二の溝
２３ａ  第二の溝の上面
２３ｂ  第二の溝の上面
２４  第三の溝（側方部の保持部）
４  サイドシール
５  レールカバー
４２  グリースニップルを取り付ける貫通穴
５２  ボルトを通す貫通穴
１００  案内レール
１０１  案内レールの上面
１１０  案内レールの転動面
２００  スライダ
２０１  スライダ本体
２０２  エンドキャップ
２０３  サイドシール
２０５  雌ねじ
２１０  スライダの転動面
２２１  戻し通路
２２２  方向転換路
３００  ころ（転動体）
４００  グリースニップル
５００  ボルト
【図１】
2016183742.tif 000003
【図２】
2016183742.tif 000004
【図３】
2016183742.tif 000005
【図４】
2016183742.tif 000006
【図５】
2016183742.tif 000007
【図６】
2016183742.tif 000008
【図７】
2016183742.tif 000009